(57)【要約】      （修正有）【課題】簡単な構造で、且つ、確実にテープ本体から繰り出されるテープを短片状にカットすることができるテープカッターを提供する。【解決手段】本体部２と、本体部２に回転自在に装着されたテープ本体３と、テープ本体３の粘着テープ４をカットする刃部５とで構成されたテープカッター１において、前記刃部５近傍の仮止部８に、非粘着具１０を装着した。また前記非粘着具１０は、水平視において、刃部方向に向けて上方に傾斜しており、さらに非粘着具１０は弾性部材で形成されている。【選択図】図１
2017081751.tif 000002
【特許請求の範囲】
【請求項１】
本体部と、本体部に回転自在に装着されたテープ本体と、テープ本体の粘着テープをカットする刃部とで構成されたテープカッターにおいて、
前記刃部近傍の仮止部に、非粘着具を装着したことを特徴とするテープカッター。
【請求項２】
前記非粘着具は、水平視において、刃部方向に向けて上方に傾斜している請求項１記載のテープカッター。
【請求項３】
前記非粘着具は、弾性部材で形成されている請求項１又は２記載のテープカッター。
【発明の詳細な説明】
【技術分野】
【０００１】  本発明は、テープ本体から繰り出される粘着テープを短片状にカットすることができるテープカッターに関する。
【背景技術】
【０００２】  紙等のシート状体を貼着するための粘着テープがある。かかる粘着テープは、円状の芯に巻回されており、テープカッターの本体部内に回転自在に装着されている。また本体部の先方には、テープを適宜長さにカットする刃部が装着されている。【０００３】  上記テープカッターに関連する先行技術として、安全かつ容易に、直線状に切断することができるテープカッターがある（例えば特許文献１参照）。
上掲特許文献１のテープカッターは、ロール状に巻回されたテープが装着されるリール部と、該リール部から所定距離離れた位置に設けられた切断部と、該切断部に取り付けられた切断刃と、を含んで構成され、前記リール部から繰り出された前記テープを切断するテープカッターであって、
前記切断刃は、前記テープが繰り出される方向に沿って板面が延びる平面部材の一端縁に、該テープの下面を係止させて切り込みを入れる上端角部と、該上端角部による切り込み線を切断しようとする方向へと導くエッジ部と、該エッジ部の終端から連続する陥没部と、を一単位とする単位刃を複数設けると共に、夫々の単位刃の前記エッジ部によって構成される刃先線の少なくとも切断の始端部が、上記平面部材の幅方向の両端を結ぶ水平線に対して偏倚し、前記テープとの間に所定の接触確度が生じるように構成されたことを特徴とするものである。
【先行技術文献】
【特許文献】
【０００４】
【特許文献１】特開２０１３−２１５８５６号公報（特許請求の範囲等）
【発明の概要】
【発明が解決しようとする課題】
【０００５】  しかしながら、特許文献１のテープカッターは、切断刃は、前記テープが繰り出される方向に沿って板面が延びる平面部材の一端縁に、該テープの下面を係止させて切り込みを入れる上端角部と、該上端角部による切り込み線を切断しようとする方向へと導くエッジ部と、該エッジ部の終端から連続する陥没部と、を一単位とする単位刃を複数設けると共に、夫々の単位刃の前記エッジ部によって構成される刃先線の少なくとも切断の始端部が、上記平面部材の幅方向の両端を結ぶ水平線に対して偏倚し、前記テープとの間に所定の接触確度が生じるように構成されたことにより、捻らずにテープを直線状に切断できるという特徴を有するが、テープを短片状にカットすることは困難であった。【０００６】  そこで本発明は上記の点に鑑み、簡単な構造で、且つ、確実にテープ本体から繰り出されるテープを短片状にカットすることができるテープカッターを提供することにある。
【解決を解決するための手段】
【０００７】  上記課題を解決するために、本体部と、本体部に回転自在に装着されたテープ本体と、テープ本体の粘着テープをカットする刃部とで構成されたテープカッターにおいて、前記刃部近傍の仮止部に、非粘着具を装着したことを特徴とする。
【０００８】  また前記非粘着具は、水平視において刃部方向に向けて上方に傾斜している。
【０００９】  さらに、前記非粘着具は弾性部材で形成されている。
【発明の効果】
【００１０】  テープカッターの刃部近傍の仮止部に、非粘着具を装着したことにより、テープ先端と仮止部との間に、テープの粘着面が粘着されていない非粘着部分が形成される。そのため、仮止部より先のテープが接着されずに摘み部となり、テープ本体から繰り出されるテープを短片状にカットすることが可能となる。
【００１１】  また前記非粘着具は、水平視において、刃部方向に向けて上方に傾斜しており、さらに非粘着具は弾性部材で形成されているため、テープをカットした後、テープの先端は刃部より離れた状態となり、摘み易く利便性や操作性が一層向上する。
【図面の簡単な説明】
【００１２】
【図１】本発明におけるテープカッターの全体斜視である。
【図２】前記テープカッターの一部を拡大した側面図である。
【図３】テープを引き出した状態である。
【図４】テープの先端をカットした状態である。
【図５】非粘着具の上部のテープ先端部を示す。
【図６】短片状にカットするテープ先端を示す。
【発明を実施するための形態】
【００１３】  本発明のテープカッターは、簡単な構造で、且つ、確実にテープ本体から繰り出されるテープを短片状にカットすることを特徴とするものである。
以下、本発明のテープカッターにおける実施の形態を各図面に基づいて説明する。
【００１４】  図１及び図２に示すテープカッター１は、本体部２と、本体部２に回転自在に装着されたテープ本体３と、テープ本体３の粘着テープ４をカットする刃部５とで構成されている。なお本発明においては、図示する設置型タイプのテープカッターに限らず、コンパクトに形成した携帯用テープカッターであってもよい。
【００１５】  前記本体部２の先方には、指を挿入して粘着テープ４を引き出すための凹部６が形成されている。また該凹部６の先方には、前記刃部５を具備する切断部７が立設されている。
【００１６】  また前記切断部７の上端には、刃部５と対向する箇所に、引き出した粘着テープ４を止着しておく仮止部８が形成されており、さらには前記刃部５と仮止部８との間には凹溝９が備えられている。
【００１７】  また特に、前記凹溝９には非粘着具１０が装着されている。かかる非粘着具１０は、粘着テープ４の粘着面が接触しても接着することがなく、さらに弾力性に優れた材質、好ましくはシリコン素材で形成することがこのましい。
【００１８】  また前記非粘着具１０は、図示するように水平視において、刃部５方向に向けて上方に傾斜している。そのことにより、図３に示すように、粘着テープ４を引き出してカットする際、非粘着具１０は粘着テープ４にて下方に押圧されて水平状態を保持している。
【００１９】  一方、粘着テープ４を適宜箇所でカットすると、図４に示すように、前記非粘着具１０の後戻りの弾性力により押し上げられ、幅ｄの部分が上方に引き上げられた状態となる。なおこの際、粘着テープ４は仮止部８の幅ｅにて接着されている。
【００２０】  上述構造の如く、図５に示すように、押し上げられた幅ｄは摘み部１１となり、この摘み部１１を摘み粘着テープ４を引き出すことができる。そのため図６に示すように、短片状の粘着テープ４を幅ｄ´のみカットすることができる。なお、カットできる粘着テープ４の幅はｄ´＜ｄが可能となる。
【００２１】  次に、本発明のテープカッターの使用法方を図３乃至図５に基づいて説明する。
先ず、図３に示すように、凹部６に指を入れて通常のように粘着テープ４を引き出し刃部５に接触させる。この際、非粘着具１０は粘着テープ４により水平状態に押圧されるとともに、粘着テープ４はｄ幅の部分が非粘着部となる。
【００２２】  次に、図４に示すように、粘着テープ４を適宜幅でカットする。すると、非粘着具１０は弾性復元力により斜め上方に跳ね上がる。すると粘着テープ４も同様に、幅ｄの部分が斜め上方に起立する。
【００２３】  この状態により、図５に示すように、粘着テープ４先端の幅ｄの部分が摘み部１１となる。さらにこの摘み部１１を摘み、図６に示すように、粘着テープ４の先端部を引き出し、通常のように刃部５によりカットする。なおこの際、カットできる長さは少なくとも幅ｄより短い幅ｄ´を切断することが可能となる。
【００２４】  上述の構造により、粘着テープ４の先端の摘みを容易にできるとともに、短片状のテープカットを、簡単な構造で容易に、且つ確実に行うことができる。なお、本発面のテープカッターは、図示する載置型に限定されるものではなく、携帯タイプ等の様々な形状や構造のテープカッターに使用できることは言うまでもない。
【符号の説明】
【００２５】１    テープカッター
２    本体部
３    テープ本体
４    粘着テープ
５    刃部
６    凹部
７    切断部
８    仮着部
９    凹溝
１０  非粘着部
１１  摘み部
【図１】
2017081751.tif 000003
【図２】
2017081751.tif 000004
【図３】
2017081751.tif 000005
【図４】
2017081751.tif 000006
【図５】
2017081751.tif 000007
【図６】
2017081751.tif 000008